(57)【要約】【課題】  化粧板の選択の自由度を高めること。【解決手段】  外板には左キャップ１００および右キャップ１１０が前後方向へ移動可能に被せられており、左キャップ１００の左板挿入部１０６内には化粧板の左辺部が挿入され、右キャップ１１０の右板挿入部１１６内には化粧板の右辺部が挿入されている。この構成の場合、左キャップ１００の前後位置および右キャップ１１０の前後位置を調整することで左板挿入部１０６の有効幅寸法および右板挿入部１１６の有効幅寸法を変えることができる。このため、化粧板の板厚が固定的な標準寸法に制約されることがなくなるので、化粧板の選択の自由度が向上する。【選択図】  図５
2006162223.tif 000002
【特許請求の範囲】
【請求項１】
システムキッチンのキャビネット内に収納することが可能な冷蔵庫の前面に設けられた食品出入口を開閉するものにおいて、
前記食品出入口を開閉する中空方形状の金属ドアと、
前記金属ドアの内部に充填された断熱材と、
前記金属ドアの上端面を覆う合成樹脂製の上キャップと、
前記金属ドアに前後方向へ移動可能に設けられ、前記金属ドアの左端面および右端面を覆う合成樹脂製の左キャップおよび合成樹脂製の右キャップと、
前記左キャップおよび前記右キャップに設けられ、化粧板の左辺部および右辺部が挿入される左溝部および右溝部を有する左板挿入部および右板挿入部と、
前記金属ドアに着脱可能に設けられ、前記金属ドアの下端面を覆う下キャップと、
前記左キャップおよび前記右キャップを前記金属ドアに締結することに基いて移動不能に拘束する左キャップ用のネジ部材および右キャップ用のネジ部材とを備え、
前記下キャップは、前記左溝部および前記右溝部を下方から塞ぐものであり、
前記左溝部および前記右溝部は、前記左キャップの前後位置および前記右キャップの前後位置に応じて前後方向の有効幅寸法が変動するものであり、
前記左板挿入部および前記右板挿入部は、前記金属ドアの閉鎖状態で前記化粧板の左辺部および右辺部が前記キャビネットの左側板の前方および右側板の前方に対向するように前記左キャップおよび前記右キャップから左方および右方へ突出するものである
ことを特徴とする冷蔵庫の扉。
【発明の詳細な説明】
【技術分野】
【０００１】
本発明は、システムキッチンのキャビネット内に収納することが可能なビィルトインタイプの冷蔵庫の扉に関する。
【背景技術】
【０００２】
上記扉にはドア本体の四辺部にキャップを個別に装着した構成のものがある。この構成の場合、各キャップに溝部が形成されており、化粧板の各辺部をキャップの溝部内に挿入することで化粧板をドア本体の前面に装着している。
【特許文献１】特開平７−５５３２８号公報
【発明の開示】
【発明が解決しようとする課題】
【０００３】
上記従来構成の場合、各溝部の幅寸法が標準値に固定されている。このため、板厚が標準の化粧板を使用せざるを得ないので、システムキッチンのバリエーションに応じて化粧板を選択するときに選択肢の幅が狭くなる。
【０００４】
本発明は上記事情に鑑みてなされたものであり、その目的は、化粧板の選択の自由度を高めることができる冷蔵庫の扉を提供することにある。
【課題を解決するための手段】
【０００５】
本発明はシステムキッチンのキャビネット内に収納することが可能な冷蔵庫の前面に設けられた食品出入口を開閉するものにおいて、前記食品出入口を開閉する中空方形状の金属ドアと、前記金属ドアの内部に充填された断熱材と、前記金属ドアの上端面を覆う合成樹脂製の上キャップと、前記金属ドアに前後方向へ移動可能に設けられ前記金属ドアの左端面および右端面を覆う合成樹脂製の左キャップおよび合成樹脂製の右キャップと、前記左キャップおよび前記右キャップに設けられ化粧板の左辺部および右辺部が挿入される左溝部および右溝部を有する左板挿入部および右板挿入部と、前記金属ドアに着脱可能に設けられ前記金属ドアの下端面を覆う下キャップと、前記左キャップおよび前記右キャップを前記金属ドアに締結することに基いて移動不能に拘束する左キャップ用のネジ部材および右キャップ用のネジ部材とを備え、前記下キャップは前記左溝部および前記右溝部を下方から塞ぐものであり、前記左溝部および前記右溝部は前記左キャップの前後位置および前記右キャップの前後位置に応じて前後方向の有効幅寸法が変動するものであり、前記左板挿入部および前記右板挿入部は前記金属ドアの閉鎖状態で前記化粧板の左辺部および右辺部が前記キャビネットの左側板の前方および右側板の前方に対向するように前記左キャップおよび前記右キャップから左方および右方へ突出するものであるところに特徴を有している。
【発明の効果】
【０００６】
左キャップ用のネジ部材および右キャップ用のネジ部材を緩めることに基いて左キャップおよび右キャップを前後方向へ移動操作し、左溝部の有効幅寸法（化粧板の左辺部が挿入可能な幅寸法を称する）および右溝部の有効幅寸法（化粧板の右辺部が挿入可能な幅寸法を称する）を化粧板の板厚に応じて調整することができる。このため、化粧板の板厚が固定的な標準寸法に制約されることがなくなるので、システムキッチンのバリエーションに応じて化粧板を選択するときの自由度が高まる。
【０００７】
左キャップおよび右キャップに左板挿入部および右板挿入部を突設し、左板挿入部の左溝部内および右板挿入部の右溝部内に化粧板の左辺部および右辺部を挿入し、扉の閉鎖状態で化粧板の左辺部および右辺部をキャビネットの左側板および右側板の前方に対向させている。このため、化粧板の前後位置を周辺扉の前後位置に合せることができるので、システムキッチンの見栄えが向上する。しかも、金属ドアの左辺部および右辺部を左方および右方へ突出させる必要がなくなるので、金属ドアの形状が簡素化される。このため、金属ドアを成形する成形型が簡単になるので、投資額が低減される。
【発明を実施するための最良の形態】
【０００８】
【実施例１】
【０００９】
１．システムキッチン１の説明
調理台２は、図１に示すように、加熱調理器３およびシンク４が装着されたものであり、調理台２の左右両側部には左側板５および右側板６が固定されている。これら調理台２と左側板５と右側板６との間には空間状のキャビネット収納部７が形成されており、キャビネット収納部７内には加熱調理器３の下方およびシンク４の下方に位置して収納キャビネット８が収納されている。これら各収納キャビネット８は前面が開口する箱状をなすものであり、各収納キャビネット８内には上収納容器９および下収納容器１０が前後方向へスライド可能に収納されている。これら各上収納容器９の前端部および各下収納容器１０の前端部には上扉１１および下扉１２が固定されており、各上収納容器９および各下収納容器１０は前方の上扉１１および前方の下扉１２が前方へ操作されることに基いて収納キャビネット８内から引出され、前方の上扉１１および前方の下扉１２が後方へ操作されることに基いて収納キャビネット８内に収納される。
【００１０】
キャビネット収納部７内には両収納キャビネット８間に位置して冷蔵庫キャビネット１３が収納されており、冷蔵庫キャビネット１３内には、図２に示すように、水平な仕切板１４が固定されている。この冷蔵庫キャビネット１３は前後下面が開口するコ枠状をなすものであり、冷蔵庫キャビネット１３には化粧板１５が固定されている。この化粧板１５は仕切板１４の下方の空間部を前方から覆うものであり、冷蔵庫キャビネット１３内には仕切板１４の上方に位置して冷蔵庫２０が収納されている。以下、冷蔵庫２０について説明する。
２．冷蔵庫２０の説明
冷蔵庫本体２１は、図２に示すように、前面が開口する箱状をなすものであり、外箱および内箱間の空間部に断熱材を充填することから構成されている。この冷蔵庫本体２１は仕切板１４上に載置されたものであり、冷蔵庫本体２１の天板と冷蔵庫キャビネット１３の天板との間にはソフトテープ１６が介在されている。このソフトテープ１６は冷蔵庫本体２１の天板と冷蔵庫キャビネット１３の天板との間の隙間を前方から塞ぐものであり、冷蔵庫キャビネット１３内に虫およびゴミ等が侵入することを防止する。
【００１１】
冷蔵庫本体２１は内部空間が食品貯蔵用の冷蔵室２２として機能するものであり、冷蔵室２２の前面は食品出入口２３として機能する。この冷蔵庫本体２１には外板２４が固定されている。この外板２４は冷蔵庫本体２１の背面に位置する垂直な背面カバー２４ａと冷蔵庫本体２１の底面に位置する水平な底板２４ｂとを略Ｌ字状に組合わせることから構成されたものであり、冷蔵庫本体２１と外板２４との間には背面底部に位置して機械室２５が形成されている。この機械室２５内には冷凍サイクルのコンプレッサ２６およびファン装置２７が収納されており、背面カバー２４ａにはファン装置２７の後方に位置して吸気口２８が形成されている。
【００１２】
化粧板１５にはルーバー１７が固定されており、ルーバー１７の後方には排気通路２９および吸気通路１８が上下２段に形成されている。吸気通路１８は底板２４ｂと仕切板１４との間に形成された隙間状の空間部を称するものであり、ファン装置２７の駆動時には、矢印で示すように、外気がルーバー１７を通して吸気通路１８内に吸引され、吸気通路１８に沿って後方へ流れる。そして、背面カバー２４ａの吸気口２８から機械室２５内に流れ込み、排気通路２９に沿って前方へ流れる。この排気通路２９は冷蔵庫本体２１と底板２４ｂとの間に形成された隙間状の空間部を称するものであり、外気は排気通路２９に沿って前方へ流れた後に排気通路２９の出口からルーバー１７を通して外部に排出される。この外気の循環系路中にはコンプレッサ２６が配置されており、コンプレッサ２６は外気が強制循環することに基いて冷却される。
【００１３】
冷蔵室２２内にはサポート３０が前後方向へスライド可能に収納されている。このサポート３０は左サポート３１（図６参照）と右サポート３２（図６参照）と後サポートとをコ字状に組合わせたものであり、サポート３０には、図２に示すように、バスケット３３が着脱可能に装着されている。このバスケット３３は食品が投入されるものであり、上面が開口する容器状をなしている。
【００１４】
サポート３０の前端部には扉４０が固定されている。この扉４０はサポート３０を介して冷蔵庫本体２１に前後方向へ移動可能に装着されたものであり、冷蔵室２２の食品出入口２３は扉４０が前方および後方へ引出操作および押込操作されることに基いて開放および閉鎖され、バスケット３３は扉４０が引出操作および押込操作されることに基いて冷蔵室２２内に対して出入れされる。以下、扉４０の詳細構成について説明する。
【００１５】
外板５０は、図３に示すように、主板部５１と左端板部５２と右端板部５３と上端板部５４と下端板部５５を一体に有するものであり、１枚の金属板を折曲加工することから構成されている。主板部５１は方形状の本体部分を称するものであり、主板部５１の上端部には２個の貫通孔５６が形成されている。左端板部５２〜下端板部５５は主板部５１の左辺〜下辺に沿って後方へ突出するものであり、左端板部５２と右端板部５３と下端板部５５には３個の貫通孔５６が形成されている。これら左端板部５２〜下端板部５５は外板５０の厚さを確定するものであり、左端板部５２〜下端板部５５には外板５０の内部に向かって突出する接合板部５７が折曲形成されている。
【００１６】
外板５０には、図４に示すように、上キャップ６０が装着されている。この上キャップ６０は合成樹脂を射出成形することから構成されたものであり、外板５０の上端板部５４を覆っている。この上キャップ６０には、図８に示すように、左方および右方からネジ８１が挿入されており、左方のネジ８１および右方のネジ８１は左端板部５２の最上段の貫通孔５６および右端板部５３の最上段の貫通孔５６を通して金属製の左パッチ８２および金属製の右パッチ８３に螺合されている。これら左パッチ８２および右パッチ８３は外板５０内に収納されたものであり、左端板部５２および右端板部５３に沿って上下方向へ延びるＬ字板状をなしている。
【００１７】
上キャップ６０は、図４に示すように、指掛部６１と指当部６２と２本のボス部６３を一体に有している。指掛部６１は外板５０の主板部５１に対して前方へ突出するものであり、主板部５１と指掛部６１との間には指挿部６４が形成されている。この指挿入部６４は使用者が扉４０を移動操作する目的で指を挿入するための空間部であり、指挿入部６４内に挿入された指は指掛部６１に引掛けられる。指当部６２は指掛部６１から指挿入部６４内に突出する水平な板状をなすものであり、使用者の指先に接触することに基いて指の指挿入部６４に対する挿入量を規制する。両ボス部６３は後方から主板部５１の貫通孔５６を通してネジ８４が螺合されたものであり、上キャップ６０はネジ８１の締結力およびネジ８４の締結力で外板５０に移動不能に固定され、両ネジ８４の頭部と主板部５１との間には金属板製の上パッチ８５が介在されている。
【００１８】
上キャップ６０の左右両端部には、図５に示すように、左上キャップ部６５および右上キャップ部６６が一体形成されている。これら左上キャップ部６５および右上キャップ部６６は外板５０の左端板部５２および右端板部５３から左方および右方に突出するものであり、左端板部５２の上端部および右端板部５３の上端部を覆っている。これら左上キャップ部６５内および右上キャップ部６６内には左溝部６７および右溝部６８が形成されている。これら左溝部６７および右溝部６８は、図４の（ｂ）に示すように、隙間状の空間部を称するものであり、左溝部６７内および右溝部６８内には、図４の（ａ）に示すように、化粧板８６の左辺部および右辺部が着脱可能に挿入されている。この化粧板８６は外板５０の主板部５１を前方から覆うものであり、上キャップ６０の両ボス部６３に接触することに基いて上方に位置規制されている。
【００１９】
化粧板８６はシステムキッチン１のバリエーションに応じて複数の選択肢のうちから選定されるものである。これら選択肢は板厚が「ｔ−Δｔ」から「ｔ＋Δｔ」の範囲内で相違しており、左溝部６７の前後方向の幅寸法および右溝部６８の前後方向の幅寸法は最大厚さ「ｔ＋Δｔ」の化粧板８６が挿入可能な値に設定されている。即ち、左溝部６７および右溝部６８は選択肢となる全ての化粧板８６が着脱可能に挿入にされるものである。
【００２０】
外板５０には、図７に示すように、左キャップ１００および右キャップ１１０が装着されている。これら左キャップ１００および右キャップ１１０は外板５０の左端板部５２および右端板部５３を覆うものであり、合成樹脂を射出成形することから構成されている。これら左キャップ１００および右キャップ１１０には２個の凹部１０１および２個の凹部１１１が形成されている。これら各凹部１０１の底板および各凹部１１１の底板には長孔１０２および長孔１１２が形成されており、各長孔１０２内および各長孔１１２内にはネジ部材に相当するネジ８７が挿入されている。
【００２１】
左キャップ１００の各長孔１０２および右キャップ１１０の各長孔１１２は前後方向へ延びる長円形状をなすものであり、両長孔１０２内のネジ８７は左端板部５２の中段の貫通孔５６および下段の貫通孔５６を通して左パッチ８２に螺合され、両長孔１１２内のネジ８７は右端板部５３の中段の貫通孔５６および下段の貫通孔５６を通して右パッチ８３に螺合されている。即ち、左キャップ１００および右キャップ１１０は２本のネジ８７の締結力で左端板部５２および右端板部５３に固定されたものであり、２本のネジ８７を緩めることに基いて長孔１０２の範囲内および長孔１１２の範囲内で外板５０に対して前後方向へ移動可能にされる。
【００２２】
左キャップ１００には前板当部１０３と後板当部１０４と側板当部１０５が一体成形されている。これら前板当部１０３〜側板当部１０５は左キャップ１００に沿って上下方向へ延びる板状をなすものであり、前板当部１０３および後板当部１０４は側板当部１０５を介して連結されている。これら前板当部１０３〜側板当部１０５は左キャップ１００から左方へ突出する左板挿入部１０６を構成するものであり、左板挿入部１０６内には上下方向へ延びる空間状の左溝部１０７が形成されている。この左溝部１０７の前後方向の幅寸法は上キャップ６０の左溝部６７の前後方向の幅寸法と同一に設定されており、左キャップ１００が前進限に位置調整された状態では左キャップ１００の左溝部１０７が上キャップ６０の左溝部６７に完全一致状態で繋がり、左キャップ１００が前進限から後方に位置調整された状態では左キャップ１００の左溝部１０７が上キャップ６０の左溝部６７に部分一致状態で繋がる。
【００２３】
右キャップ１１０には前板当部１１３と後板当部１１４と側板当部１１５が一体成形されている。これら前板当部１１３〜側板当部１１５は右キャップ１１０に沿って上下方向へ延びる板状をなすものであり、前板当部１１３および後板当部１１４は側板当部１１５を介して連結されている。これら前板当部１１３〜側板当部１１５は右キャップ１１０から右方へ突出する右板挿入部１１６を構成するものであり、右板挿入部１１６内には上下方向へ延びる空間状の右溝部１１７が形成されている。この右溝部１１７の前後方向の幅寸法は上キャップ６０の右溝部６８の前後方向の幅寸法と同一に設定されており、右キャップ１１０が前進限に位置調整された状態では右キャップ１１０の右溝部１１７が上キャップ６０の右溝部６８に完全一致状態で繋がり、右キャップ１１０が前進限から後方に位置調整された状態では右キャップ１１０の右溝部１１７が上キャップ６０の右溝部６８に部分一致状態で繋がる。
【００２４】
左キャップ１００の左板挿入部１０６および右キャップ１１０の右板挿入部１１６は左キャップ１００および右キャップ１１０の前後位置に拘らず上キャップ６０の左上キャップ部６５および右上キャップ部６６を下方へ延長するものであり、左キャップ１００の前後位置および右キャップ１１０の前後位置に応じて有効幅寸法ＷＬおよび有効幅寸法ＷＲが変動する。有効幅寸法ＷＬとは前板当部１０３の後面と主板部５１の前面との間の前後方向の離間距離を称し、有効幅寸法ＷＲとは前板当部１１３の後面と主板部５１の前面との間の前後方向の離間距離を称するものであり、化粧板８６の左辺部および右辺部は下方から左板挿入部１０６の左溝部１０７内および右板挿入部１１６の右溝部１１７内を通して左上キャップ部６５の左溝部６７内および右上キャップ部６６の右溝部６８内に挿入され、化粧板８６の左辺部および右辺部は扉４０の閉鎖状態で冷蔵庫キャビネット１３の左側板１３Ｌの前方および右側板１３Ｒの前方に対向する。
【００２５】
外板５０には、図５に示すように、下キャップ１２０が装着されている。この下キャップ１２０は外板５０の下端板部５５を覆うものであり、合成樹脂を射出成形することから構成されている。この下キャップ１２０には３本のネジ８８が挿入されている。このうち左方のネジ８８および右方のネジ８８は、図７に示すように、下端板部５５の貫通孔５６を通して左パッチ８２および右パッチ８３に螺合され、中央のネジ８８は、図８に示すように、下端板部５５の貫通孔５６を通して金属板製の下パッチ８９に螺合されている。この下パッチ８９は外板５０内に収納されたものであり、下キャップ１２０は３本のネジ８８の締結力で下端板部５５に固定されている。この下キャップ１２０は左キャップ１００の左溝部１０７および右キャップ１１０の右溝部１１７を下方から塞ぐものであり、化粧板８６は下キャップ１２０によって係止されることに基いて脱落防止される。この下キャップ１２０は３本のネジ８８を緩めることに基いて下端板部５５から取外されるものであり、化粧板８６は下キャップ１２０を取外すことに基いて下方へ抜取り可能な状態にされる。
【００２６】
外板５０の４枚の接合板部５７には、図４に示すように、金属板製の内板１３０が接合されており、外板５０の後面は内板１３０によって塞がれている。これら外板５０および内板１３０は金属ドアに相当する中空方形状のドア本体１４０を構成するものであり、外板５０と内板１３０との間の空間部には発泡ウレタン製の断熱材が充填されている。
【００２７】
内板１３０にはガスケット挿入部１３１が形成されている。このガスケット挿入部１３１は内板１３０の外周部を周回する凹状をなすものであり、ガスケット挿入部１３１内には環状のガスケット９０が挿入されている。このガスケット９０はドア本体１４０の閉鎖状態で冷蔵庫本体２１の前端面に接触するものであり、冷蔵庫本体２１の前端面に対する接触力で弾性的に潰れることに基いて冷蔵室２２を気密状態にシールする。このドア本体１４０の閉鎖状態では、図７に示すように、ドア本体１４０が冷蔵庫キャビネット１３の前端面に接触することなく冷蔵庫キャビネット１３内に収納され、化粧板８６の前面が上扉１１・下扉１２・化粧板１５の前面と同一の垂直面上に配置される。
【００２８】
内板１３０には、図６に示すように、凹状をなす２個の座部１３２が形成されている。これら左方の座部１３２内および右方の座部１３２内には左サポート３１の脚部および右サポート３２の脚部が挿入されており、各脚部は後方から脚部および座部１３２を通してリインフォ−ス９１に４本のネジ９２を螺合することに基いて固定されている。これら各リインフォース９１は、図４に示すように、外板５０内に収納されたものであり、内板１３０のうち座部１３２を局部的に補強する金属板から構成されている。
【００２９】
次に扉４０の製造方法を図８および図９に基いて説明する。
１)外板５０内に左パッチ８２と右パッチ８３と上パッチ８５を収納する。そして、上パッチ８５を通して上キャップ６０の両ボス６３内にネジ８４を螺合し、上キャップ６０から左端板部５２の上段の貫通孔５６および右端板部５３の上段の貫通孔５６を通して左パッチ８２および右パッチ８３にネジ８１を螺合し、上キャップ６０を外板５０に固定する。
２）外板５０内に下パッチ８９を収納する。そして、左端板部５２の残り２個の貫通孔５６および右端板部５３の残り２個の貫通孔５６を通して左パッチ８２および右パッチ８３にネジ８７を螺合し、下端板部５５の３個の貫通孔５６を通して左パッチ８２と右パッチ８３と下パッチ８９とにネジ８８を螺合する。
３）外板５０内の四隅部にソフトテープ９３を装着し、左端板部５２〜下端板部５５相互間の隙間を埋める。
４）内板１３０の両座部１３２を通してリインフォース９１にネジ９２を螺合し、両座部１３２にリインフォース９１を固定する。
５）外板５０の接合板部５７に内板１３０を接合することに基いてドア本体１４０を組立て、ドア本体１４０内に発泡ウレタンを注入する。このドア本体１４０は全ての貫通孔５６等がネジ８１とネジ８４とネジ８７とネジ８８とネジ９２によって塞がれたものであり、発泡ウレタンの注入作業はドア本体１４０の密閉状態で行われ、左パッチ８２と右パッチ８３と上パッチ８５と下パッチ８９と両リインフォース９１は発泡ウレタンが硬化することに基いて固定される。
６）外板５０の左端板部５２から２本のネジ８７を取外し、右端板部５３から２本のネジ８７を取外し、下端板部５５から３本のネジ８８を取外す。
７）左キャップ１００の両長孔１０２から左端板部５２の中段の貫通孔５６および下段の貫通孔５６を通して左パッチ８２にネジ８７を螺合し、左キャップ１００を外板５０に固定する。
８）右キャップ１１０の両長孔１１２から右端板部５３の中段の貫通孔５６および下段の貫通孔５６を通して右パッチ８３にネジ８７を螺合し、右キャップ１１０を外板５０に固定する。
９）下キャップ１２０から下端板部５５の３個の貫通孔５６を通して左パッチ８２と中パッチ８９と右パッチ８３に３本のネジ８８を螺合し、下キャップ１２０を外板５０に固定する。
１０）内板１３０の各座部１３２から４本のネジ９２を取外す。そして、左サポート３１の脚部から左方の座部１３２を通してリインフォース９１に４本のネジ９２を螺合し、右サポート３２の脚部から右方の座部１３２を通してリインフォース９１に４本のネジ９２を螺合し、サポート３０を内板１３０に固定する。
【００３０】
次に化粧板８６の装着手順について説明する。
１）下キャップ１２０から３本のネジ８８を取外し、下キャップ１２０を外板５０から取外す。
２）左キャップ１００の２本のネジ８７および右キャップ１１０の２本のネジ８７を緩め、左キャップ１００および右キャップ１１０を前後方向へ移動可能な状態にする。
３）左キャップ１００の左溝部１０７内および右キャップ１１０の右溝部１１７内を通して上キャップ６０の左溝部６７内および右溝部６８内に化粧板８６の左辺部および右辺部を挿入する。この化粧板８６の挿入状態で左キャップ１００および右キャップ１１０を後方へずらすことに基いて左溝部１０７の有効幅寸法ＷＬおよび右溝部１１７の有効幅寸法ＷＲを調整し、左キャップ１００の前板当部１０３と外板５０の主板部５１との間で化粧板８６の左辺部を押え、右キャップ１１０の前板当部１１３と外板５０の主板部５１との間で化粧板８６の右辺部を押える。
４）左キャップ１００の２本のネジ８７および右キャップ１１０の２本のネジ８７を締込み、左キャップ１００および右キャップ１１０を外板５０に移動不能に固定する。
５）下キャップ１２０を通して左パッチ８２と下パッチ８９と右パッチ８３にネジ８８を螺合し、下キャップ１２０を外板５０に固定する。
【００３１】
上記実施例１によれば次の効果を奏する。
左キャップ１００の左溝部１０７の有効幅寸法ＷＲおよび右キャップ１１０の右溝部１１７の有効幅寸法ＷＲを化粧板８６の板厚に応じて調整可能に構成した。このため、化粧板８６の板厚が固定的な標準寸法に制約されることがなくなるので、システムキッチン１のバリエーションに応じて化粧板８６を選択するときの自由度が高まる。
【００３２】
左キャップ１００および右キャップ１１０に左板挿入部１０６および右板挿入部１１６を突設し、左板挿入部１０６の左溝部１０７内および右板挿入部１１６の右溝部１０７内に化粧板８６の左辺部および右辺部を挿入し、ドア本体１４０の閉鎖状態で化粧板８６の左辺部および右辺部を冷蔵庫キャビネット１３の左側板１３Ｌおよび右側板１３Ｒの前方に対向させた。このため、化粧板８５の前後位置を周辺の扉１１等の前後位置に合せることができるので、システムキッチン１の見栄えが向上する。しかも、ドア本体１４０の左辺部および右辺部を左方および右方へ突出させる必要がなくなるので、ドア本体１４０の形状が簡素化される。このため、外板５０を成形する成形型が簡単になるので、投資額が低減される。
【図面の簡単な説明】
【００３３】
【図１】実施例１を示す図（システムキッチンの外観を分解状態で示す斜視図）
【図２】冷蔵庫キャビネットを示す図（ａは前面図，ｂはＸｂ線に沿う断面図）
【図３】外板を示す図（ａは前面図，ｂは矢印Ｘｂ視図，ｃは矢印Ｘｃ視図，ｄはＸｄ線に沿う断面図）
【図４】扉を完成状態で示す断面図（ａは図５のＸ４線に沿う断面図、ｂは上キャップ部分を拡大して示す断面図）
【図５】扉を化粧板の除去状態で示す図（ａは前面図，ｂは矢印Ｘｂ視図，ｃは矢印Ｘｃ視図）
【図６】扉を化粧板の除去状態で示す図（ａは後面図，ｂは矢印Ｘｂ視図）
【図７】扉を完成状態で示す断面図（ａは図５のＸ７線に沿う断面図、ｂは矢印Ｘｂ視図，ｃは矢印Ｘｃ視図）
【図８】扉を発泡ウレタンの未注入状態で示す図（ａは前面図，ｂは矢印Ｘｂ視図，ｃは矢印Ｘｃ視図，ｄは矢印Ｘｄ視図）
【図９】扉を発泡ウレタンの未注入状態で示す図（内板の除去状態で示す後面図）
【符号の説明】
【００３４】
１はシステムキッチン、１３は冷蔵庫キャビネット（キャビネット）、１３Ｌは左側板、１３Ｒは右側板、２０は冷蔵庫、２３は食品出入口、４０は扉、６０は上キャップ、８６は化粧板、８７はネジ（ネジ部材）、１００は左キャップ、１０６は左板挿入部、１０７は左溝部、１１０は右キャップ、１１６は右板挿入部、１１７は右溝部、１２０は下キャップ、１４０はドア本体（金属ドア）を示している。
【図１】
2006162223.tif 000003
【図２】
2006162223.tif 000004
【図３】
2006162223.tif 000005
【図４】
2006162223.tif 000006
【図５】
2006162223.tif 000007
【図６】
2006162223.tif 000008
【図７】
2006162223.tif 000009
【図８】
2006162223.tif 000010
【図９】
2006162223.tif 000011